(57)【要約】【課題】  トロール網をトロール船の航跡から離して曳網し、表層域においてトロール船の通過やそれに伴う判流の影響により採集対象生物が逃避してしまうことを防止して、定量的な採集を行うことのできるトロール漁法およびこれに用いるオッターボードを提供すること。【解決手段】  各オッターボード１ａ，１ｂの拡網力の絶対値をそれぞれ異ならせて、トロール網１８をトロール船１１の航跡から離して曳網させる。【選択図】      図１
2007244215.tif 000002
【特許請求の範囲】
【請求項１】
左右一対のオッターボードを用いてトロール網の網口を広げて曳網するトロール漁法において、
前記各オッターボードの拡網力の絶対値をそれぞれ異ならせて、前記トロール網をトロール船の航跡から離して曳網させることを特徴とするトロール漁法。
【請求項２】
トロール船上から繰り出される２本のワープの先端を、前記各ワープを前記トロール船の進行方向に対してそれぞれ外方に偏向するようにオッターボードに取付けられるとともに、それぞれのオッターボードに連結されたオッターペンネントを介してトロール網が展開するように配設された一対のオッターボードにおいて、
ワープの取付け位置を変えることによって、前記各オッターボードの拡網力の絶対値をそれぞれ異ならせたことを特徴とするオッターボード。
【請求項３】
前記一対のオッターボードにおいて、それぞれ少なくとも１つの開口部が形成され、凹入した内面を有するフレームと、前記開口部に配設される彎曲した板とからなる単板型のオッターボードであって、少なくとも一方のオッターボードの彎曲した板を開閉自在に配設したことを特徴とする請求項２に記載のオッターボード。
【請求項４】
前記一対のオッターボードにおいて、それぞれ少なくとも１つの開口部が形成され、凹入した内面を有する一対のフレームを対向させて連結し、前記各開口部に彎曲した板を配設してなる複葉型のオッターボードであって、少なくとも一方のオッターボードの彎曲した板を開閉自在に配設したことを特徴とする請求項２に記載のオッターボード。
【請求項５】
前記一対のオッターボードのうち一方のオッターボードとワープとの間に索具を連結させたことを特徴とする請求項２乃至請求項４に記載のオッターボード。
【発明の詳細な説明】
【技術分野】
【０００１】
本発明はトロール漁法およびこれに用いるオッターボードに係り、特に、トロール網をトロール船の航跡から離して曳網できるトロール漁法およびこれに用いるオッターボードに関する。
【背景技術】
【０００２】
従来から、海中における水産資源の調査の一手法として、トロール網による調査が行なわれてきた。そして、このようなトロール網には、網口を展開させるためのオッターボードが装備されていた。
【０００３】
このような従来のオッターボードを使用したトロール漁法は、例えば特許文献１に示すように、トロール船から繰り出された２本のワープの先端にオッターボードが連結され、オッターボードとトロール網とはオッターペンネントと手綱を介して連結されている。
【０００４】
前記オッターボードは、上流側に配置されている剛体部材と、この剛体部材に連結されて下流側に配置されている可撓性拡網部材とによって形成されている。
【０００５】
前記剛体部材は、強化樹脂製のフレーム状に形成されており、２本の縦辺と３本の横辺とを連結して形成されている。
【０００６】
前記可撓性拡網部材は、水中翼部とこれを前記剛体部材の各横辺に連結する連結部材とによって形成されている。前記水中翼部は、キャンバス地等の可撓性部材からなる平面状の内側布地と、同じくキャンバス地等の可撓性部材からなる断面半円形状の外側布地とにより、上流端のみに開口を開設した前後に長い袋状としたものを上下方向に４列並べて形成されており、かつ、前記開口より流入した水により翼状の略剛体形状になるようにされている。
【０００７】
また、前記内側布地の上下の各端縁と中央部とをそれぞれ各連結部材によって、剛体部材に対する可撓性拡網部材の内側布地の対水迎角を決定するように、剛体部材側の長方形状の網地と前記内側布地側の三角形状の布地とによって連結している。
【０００８】
このような構成からなる従来のオッターボードによれば、トロール船上から、トロール網、オッターペンネント、オッターボードおよびワープの順に水中に投入すると、トロール船が進行することにより水流を受け、その外力の外側方向成分によって上流側に配置されている剛体部材に連結されている下流側の可撓性拡網部材の水中翼部の内側布地の内面側に水が流入し、可撓性拡網部材が翼状に拡開され、拡網力を発揮してトロール網の網口が拡開される（例えば、特許文献１参照）。
【０００９】
【特許文献１】特開２００２−３１５４７２号公報
【発明の開示】
【発明が解決しようとする課題】
【００１０】
しかしながら、前述したような従来のオッターボードを使用してのトロール漁法においては、トロール網がトロール船の航跡に沿って曳網されていたため、海中の表層域において、採集対象生物がトロール船の通過やそれに伴う判流によって逃避してしまい、定量的な採集を行なうことができなかった。
【００１１】
そこで、本発明は、トロール網をトロール船の航跡から離して曳網し、表層域においてトロール船の通過やそれに伴う判流によって採集対象生物が逃避してしまうことを防止して、定量的な採集を行うことのできるトロール漁法およびこれに用いるオッターボードを提供することを目的とするものである。
【課題を解決するための手段】
【００１２】
前述した目的を達成するため本発明のトロール漁法の特徴は、左右一対のオッターボードを用いてトロール網の網口を広げて曳網するトロール漁法において、前記一対のオッターボードの拡網力の絶対値をそれぞれ異ならせて、前記トロール網をトロール船の航跡から離して曳網させる点にある。
【００１３】
このような構成を採用したことにより、表層域においてトロール船の通過やそれに伴う判流の影響により採集対象生物が逃避してしまうことを防止することができ、定量的な採集を行うことができる。
【００１４】
また、本発明のオッターボードの特徴は、トロール船上から繰り出される２本のワープの先端に、前記各ワープを前記トロール船の進行方向に対してそれぞれ外方に偏向するようにオッターボードに取付けられるとともに、それぞれのオッターボードに連結されたオッターペンネントを介してトロール網が展開するように配設された一対のオッターボードにおいて、ワープの取付け位置を変えることによって、前記各オッターボードの拡網力の絶対値をそれぞれ異ならせた点にある、
このような構成を採用したことにより、表層域においてトロール網を曳網する各オッターボードのうち拡網力の絶対値の小さいオッターボードがもう一方のオッターボード側に引き寄せられ、全体として拡網力の絶対値の大きいオッターボード側へトロール網が移動し、トロール網をトロール船の航跡から離すことができ、表層域においてトロール船の通過やそれに伴う判流の影響により採集対象生物が逃避してしまうことを防止することができ、定量的な採集を行うことができる。
【００１５】
また、本発明のオッターボードの他の特徴は、前記一対のオッターボードにおいて、それぞれ少なくとも１つの開口部が形成され、凹入した内面を有するフレームと、前記開口部に配設される彎曲した板とからなる単板型のオッターボードであって、少なくとも一方のオッターボードの彎曲した板を開閉自在に配設した点にある。
【００１６】
また、本発明のオッターボードの他の特徴は、前記一対のオッターボードにおいて、それぞれ少なくとも１つの開口部が形成され、凹入した内面を有する一対のフレームを対向させて連結し、前記各開口部に彎曲した板を配設してなる複葉型のオッターボードであって、少なくとも一方のオッターボードの彎曲した板を開閉自在に配設した点にある。
【００１７】
このような構成を採用したことにより、一方のオッターボードのフレームから彎曲した板を取り外して開口部を開放することにより、容易にオッターボードの拡網力の絶対値を小さくすることができ、トロール網をトロール船の航跡から離すことができる。
【００１８】
また、本発明のオッターボードの他の特徴は、前記一対のオッターボードのうち一方のオッターボードとワープとの間に索具を連結させた点にある。
【００１９】
このような構成を採用したことにより、オッターボードとワープとの間の索具によりオッターボードの曳点がずらされ、このオッターボードの拡網力の絶対値がもう一方のオッターボードの拡網力の絶対値よりも小さくなり、航跡から離してトロール網を曳網することができ、表層域においてトロール船の通過やそれに伴う判流の影響により採集対象生物が逃避してしまうことを防止することができ、定量的な採集を行うことができる。
【発明の効果】
【００２０】
本発明のトロール漁法およびこれに用いるオッターボードによれば、トロール網をトロール船の航跡から離すことにより、表層域においてトロール船の通過やそれに伴う判流の影響により採集対象生物が逃避してしまうことを防止することができ、定量的な採集を行うことができる。
【発明を実施するための最良の形態】
【００２１】
以下、図面を用いて本発明のトロール漁法およびこれに用いるオッターボードの実施形態について説明する。
【００２２】
図１は本発明のオッターボードの第１実施形態を示す概略図、図２は本第１実施形態のフレームの他の形態を示す概略図、図３は図１のオッターボードを用いたトロール漁の実施形態を示した概略図、図４は図１のオッターボードを用いたトロール漁の作用を示した概略図である。
【００２３】
本第１実施形態のオッターボード１ａ，１ｂは単板型であり、図１に示すように、それぞれ金属製もしくは強化プラスチック製の凹入した内面を有し、開口部３ａ，３ｂが形成された略「日」字形状のフレーム２ａ，２ｂを有している。
【００２４】
前記各フレーム２ａ，２ｂの開口部３ａ，３ｂには、金属製もしくは強化プラスチック製の彎曲した板４がそれぞれボルト等の留め具（図示せず）により着脱可能に取付けられている。なお、前記各彎曲した板４は、図２に示すように、回動機構１０を配設して回動自在に取付け、各開口部３ａ，３ｂを開閉できるようにしてもよい。
【００２５】
また、前記各フレーム２ａ，２ｂの内面の鉛直方向における中央には、それぞれ内側に水平に張出したフランジ５が一体に形成されており、各フランジ５には、後述するワープ１２が連結される曳点となる１つの貫通孔６がそれぞれ穿設されている。
【００２６】
また、前記各フレーム２ａ，２ｂの外面の鉛直方向における上縁部近傍および下縁部近傍には、それぞれ外側に水平に張出したフランジ７がそれぞれ一体に形成されており、各フランジ７には、後述するオッターペンネント１３が連結される貫通孔８がそれぞれ穿設されている。
【００２７】
さらに、前記各フレーム２ａ，２ｂの下縁には、それぞれ踏部材９が設けられており、その前端は上方に彎曲されている。
【００２８】
つぎに、前述した構成からなる本第１実施形態のオッターボード１ａ，１ｂを用いたトロール漁法について説明する。
【００２９】
本第１実施形態のトロール漁法においてオッターボード１ａ，１ｂは、図３に示すように、トロール船１１上から繰り出された左右２本のワープ１２の先端で、それぞれ貫通孔６において連結されている。
【００３０】
そして、各オッターボード１ａ，１ｂには、各オッターボード１ａ，１ｂの各フランジ７に形成された貫通孔８からそれぞれオッターペンネント１３が連結されており、各オッターペンネント１３には、合流用シャックル１４、スイベル１５、シャックル１６およびラインロープ１７が順次連結され、各ラインロープ１７によってトロール網１８が連結されている。
【００３１】
そして、本実施形態では、トロール船１１上において一方のオッターボード１ｂの各彎曲した板４を取外して各開口部３ａ，３ｂを開放した後、水中にトロール網１８、ラインロープ（ハンドロープ）１７、オッターペンネント１３、オッターボード１ａ，１ｂおよびワープ１２を順に投網する。なお、前記各彎曲した板４を回動機構１０により回動自在に取付けた場合には、トロール船１１上において各彎曲した板４を回動させて各開口部３ａ，３ｂを開放させる。
【００３２】
そして、トロール船１１を進行させると、各オッターボード１ａ，１ｂが水流を受けてそれぞれ拡網力が生じる。このとき、本第１実施形態のオッターボード１ａ，１ｂは、オッターボード１ｂの各彎曲した板４が取り外され、オッターボード１ｂの拡網力がオッターボード１ａの拡網力よりも小さくなるため、図４に示すように、各オッターボード１ａ，１ｂがオッターボード１ａ側へ偏向して拡網され、これに応じてトロール網１８がトロール船１１の航跡より離れる。
【００３３】
このため、表層域において、トロール船１１の通過やそれに伴う判流の影響により採集対象生物が逃避してしまうことを防止することができ、定量的なサンプリングを行うことができる。
【００３４】
つぎに、本発明のオッターボードの第２実施形態について説明する。図５は本発明のオッターボードの第２実施形態を示す概略図、図６は図５のオッターボードを用いたトロール漁の実施形態を示した概略図、図７は図５のオッターボードを用いたトロール漁の作用を示した概略図である。なお、本第１実施形態と同様の構成である箇所については同一の符号をもって説明する。
【００３５】
本第２実施形態のオッターボード２１ａ，２１ｂは複葉型であり、図５に示すように、それぞれ金属製もしくは強化プラスチック製の凹入した内面を有し、開口部３ａ，３ｂが形成された略「日」字形状のフレーム２ａ，２ｂがそれぞれ平行に配置されている。
【００３６】
前記各フレーム２ａ，２ｂの開口部３ａ，３ｂには、金属製もしくは強化プラスチック製の彎曲した板４がそれぞれボルト等の留め具（図示せず）により着脱可能に取付けられている。なお、前記各彎曲した板４は、図２に示すように、回動機構１０を配設して回動自在に取付け、各開口部３ａ，３ｂを開閉できるようにしてもよい。
【００３７】
対向する前記各フレーム２ａ，２ａあるいは前記各フレーム２ｂ，２ｂは、それぞれ上縁部近傍において略四角形状の枠状の連結部材２２、鉛直方向における中央において水平ボード２３、下縁部において踏部材２４によって連結されている。なお、前記各踏部材２４の前端は上方に彎曲されている。
【００３８】
前記各オッターボード２１ａ，２１ｂの水平ボード２３には、前縁部近傍にワープ１１が連結される曳点となる貫通孔２５ａが穿設されているとともに、後縁部近傍にそれぞれオッターペンネント１２が連結される貫通孔２５ｂ，２５ｃが一定の間隔を隔てて穿設されている。
【００３９】
つぎに、前述した構成からなる本第２実施形態のオッターボード２１ａ，２１ｂを用いたトロール漁法について説明する。
【００４０】
本第２実施形態のオッターボード２１ａ，２１ｂは、図６に示すように、トロール船１１上から繰り出された左右２本のワープ１２の先端で、それぞれ貫通孔２５ａにおいて連結されている。
【００４１】
そして、各オッターボード２１ａ，２１ｂには、各水平ボード２３に穿設された貫通孔２５ｂ，２５ｃからそれぞれオッターペンネント１３が連結されており、各オッターボードペンネント１３には、合流用シャックル１４、スベル１５、シャックル１６およびラインロープ１７が順次連結され、各ラインロープ１７によってトロール網１８が連結されている。
【００４２】
そして、本実施形態では、トロール船１１上において、一方のオッターボード２１ｂの各フレーム２ｂ，２ｂの各彎曲した板４を取外して各開口部３ａ，３ｂを開放した後、水中にトロール網１８、ラインロープ１７、オッターペンネント１３、オッターボード２１ａ，２１ｂ、およびワープ１２を順に投網する。なお、前記各彎曲した板４を回動機構１０により回動自在に取付けた場合には、トロール船１１上において各彎曲した板４を回動させて各開口部３ａ，３ｂを開放させる。
【００４３】
そして、トロール船１１を進行させると、各オッターボード２１ａ，２１ｂが水流を受けてそれぞれ拡網力が生じる。このとき、本実施形態のオッターボード２１ａ，２１ｂは、オッターボード２１ｂの各彎曲した板４が取り外され、オッターボード２１ｂの拡網力がオッターボード２１ａの拡網力よりも小さくなるため、図７に示すように、各オッターボード２１ａ，２１ｂがオッターボード２１ａ側へ偏向して拡網され、これに応じてトロール網１８がトロール船１１の航跡より離れる。
【００４４】
このため、表層域において、トロール船１１の通過やそれに伴う判流の影響により採集対象生物が逃避してしまうことを防止することができ、定量的なサンプリングを行うことができる。
【００４５】
つぎに、本発明のオッターボードの第３実施形態について説明する。図８は本発明のオッターボードの第３実施形態を示す概略図、図９は図８のオッターボードを用いたトロール漁の実施形態を示した概略図、図１０は図８のオッターボードを用いたトロール漁の作用を示した概略図である。なお、本第１実施形態および本第２実施形態と同様の構成である箇所については同一の符号をもって説明する。
【００４６】
本第１実施形態のオッターボード３１ａ，３１ｂは単板型であり、図８に示すように、それぞれ金属製もしくは強化プラスチック製の凹入した内面を有する翼板３２ａ，３２ｂに形成されている。
【００４７】
前記各翼板３２ａ，３３２ｂの内面の鉛直方向における中央には、それぞれ内側に水平に張出したフランジ３３が一体に形成されている。
【００４８】
そして、本第３実施形態において、前記オッターボード３１ａのフランジ３３には、ワープ１２が連結される曳点となる１つの貫通孔３４が穿設されている。
【００４９】
また、前記オッターボード３１ｂのフランジ３３には、長手方向に間隔を隔てて２つの貫通孔３５ａ，３５ｂが穿設されており、これらの貫通孔３５ａ，３５ｂにはそれぞれチェーンなどの索具３６が連結されるとともに、これら索具３６の他端部が連結され、ワープ１２が連結される曳点となっている。
【００５０】
また、前記各翼板３２ａ，３２ｂの外面の鉛直方向における上縁部近傍および下縁部近傍には、それぞれ外側に水平に張出したフランジ３７がそれぞれ一体に形成されている。
【００５１】
そして、前記各オッターボード３１ａ，３１ｂの各フランジ３７には、オッターペンネント１３が連結される貫通孔３８がそれぞれ穿設されている。
【００５２】
さらに、前記各翼板３２ａ，３２ｂの下縁には、それぞれ踏部材３９が設けられており、その前端は上方に彎曲されている。
【００５３】
つぎに、前述した構成からなる本第３実施形態のオッターボード３１ａ，３１ｂを用いたトロール漁法について説明する。
【００５４】
本第３実施形態のオッターボード３１ａ，３１ｂは、図９に示すように、トロール船１１上から繰り出された左右２本のワープ１２の先端で、それぞれ貫通孔３４もしくは索具３６において連結されている。
【００５５】
そして、各オッターボード３１ａ，３１ｂには、各オッターボード３１ａ，３１ｂの各フランジ３７に穿設された貫通孔３８からそれぞれオッターペンネント１３が連結されており、各オッターペンネント１３には、合流用シャックル１４、スイベル１５、シャックル１６およびラインロープ１７が順次連結され、各ラインロープ１７によってトロール網１８が連結されている。
【００５６】
そして、トロール船１１上から水中にトロール網１８、ラインロープ１７、オッターペンネント１３、オッターボード３１ａ，３１ｂおよびワープ１２を順に投網し、トロール船１１を進行させると、各オッターボード３１ａ，３１ｂが水流を受けてそれぞれ拡網力が生じる。
【００５７】
そして、本第３実施形態のオッターボード３１ａ，３１ｂは、オッターボード３１ｂが索具３６を介してワープ１２に連結されているため、オッターボード３１ｂの拡網力がオッターボード３１ａの拡網力よりも小さくなり、図１０に示すように、各オッターボード３１ａ，３１ｂがオッターボード３１ａ側へ偏向して拡網され、これに応じてトロール網１８がトロール船１１の航跡より離れる。
【００５８】
このため、表層域において、トロール船１１の通過やそれに伴う判流の影響により採集対象生物が逃避してしまうことを防止することができ、定量的なサンプリングを行うことができる。
【００５９】
つぎに、本発明のオッターボードの第４実施形態について説明する。図１１は本発明のオッターボードの第４実施形態を示す概略図、図１２は図１１のオッターボードを用いたトロール漁の実施形態を示した概略図、図１３は図１１のオッターボードを用いたトロール漁の作用を示した概略図である。なお、本第１実施形態乃至本第３実施形態と同様の構成である箇所については同一の符号をもって説明する。
【００６０】
本第４実施形態のオッターボード４１ａ，４１ｂは複葉型であり、図１１に示すように、それぞれ金属製もしくは強化プラスチック製の凹入した内面を有した翼板３２ａ，３２ｂがそれぞれ平行に配置されている。
【００６１】
対向する前記各翼板３２ａ，３２ａあるいは前記各翼板３２ｂ，３２ｂは、それぞれ上縁部近傍において略四角形状の枠状の連結部材２２、鉛直方向における中央において水平ボード２３、そして、下縁部において踏部材２４によって連結されている。なお、前記各踏部材２４の前端は上方に彎曲されている。
【００６２】
前記オッターボード４１ａの水平ボード２３には、前縁部近傍にワープ１１が連結される曳点となる１つの貫通孔２５ａが穿設されているとともに、後縁部近傍にそれぞれオッターペンネント１３が連結される貫通孔２５ｂ，２５ｃが一定の間隔を隔てて穿設されている。
【００６３】
また、前記オッターボード４１ｂの水平ボード２３には、前縁部近傍に一定の間隔を隔てて２つの貫通孔４５ａ，４５ｂが穿設されている。これら貫通孔４５ａ，４５ｂにはそれぞれチェーンなどの索具３６が連結され、これら索具３６の他端部が連結され、ワープ１２が連結される曳点となっている。
【００６４】
さらに、前記オッターボード４１ｂの水平ボード２３には、後縁部近傍にそれぞれオッターペンネント１３が連結される貫通孔４５ｃ，４５ｄが一定の間隔を隔てて穿設されている。
【００６５】
つぎに、前述した構成からなる本第４実施形態のオッターボード４１ａ，４１ｂを用いたトロール漁法について説明する。
【００６６】
本第４実施形態のオッターボード４１ａ，４１ｂは、図１２に示すように、トロール船１１上から繰り出された左右２本のワープ１２の先端で、それぞれ貫通孔２５ａもしくは索具３６において連結されている。
【００６７】
そして、各オッターボード４１ａ，４１ｂには、各水平ボード２３に穿設された貫通孔２５ｂ，２５ｃもしくは貫通孔４５ｃ，４５ｄからそれぞれオッターペンネント１３が連結されており、各オッターペンネント１３の下流には、合流用シャックル１４、スイベル１５、シャックル１６およびラインロープ１７が順次連結され、各ラインロープ１７の下流にはトロール網１８が連結されている。
【００６８】
そして、トロール船１１上から水中にトロール網１８、ラインロープ１７、オッターペンネント１３、オッターボード４１ａ，４１ｂおよびワープ１２を順に投網し、トロール船１１を進行させると、各オッターボード４１ａ，４１ｂが水流を受けてそれぞれ拡網力が生じる。
【００６９】
そして、本第４実施形態のオッターボード４１ａ，４１ｂは、オッターボード４１ｂが索具３６を介してワープ１２に連結されているため、オッターボード４１ｂの拡網力がオッターボード４１ａの拡網力よりも小さくなり、図１３に示すように、各オッターボード４１ａ，４１ｂがオッターボード４１ａ側へ偏向して拡網され、これに応じてトロール網１８がトロール船１１の航跡より離れる。
【００７０】
このため、表層域において、トロール船１１の通過やそれに伴う判流の影響により採集対象生物が逃避してしまうことを防止することができ、定量的なサンプリングを行うことができる。
【００７１】
つぎに、本発明のオッターボードの第５実施形態について説明する。図１４は本発明のオッターボードの第５実施形態を示す概略図、図１５は図１４のオッターボードを用いたトロール漁の実施形態を示した概略図、図１６は図１４のオッターボードを用いたトロール漁の作用を示した概略図である。なお、本第１実施形態乃至本第４実施形態と同様の構成である箇所については同一の符号をもって説明する。
【００７２】
本第５実施形態のオッターボード５１ａ，５１ｂは単板型であり、図１４に示すように、それぞれ金属製もしくは強化プラスチック製の凹入した内面を有し、開口部３ａ，３ｂが形成された略「日」字形状のフレーム２ａ，２ｂを有している。
【００７３】
前記各フレーム２ａ，２ｂの開口部３ａ，３ｂには、金属製もしくは強化プラスチック製の彎曲した板４がそれぞれボルト等の留め具（図示せず）により着脱可能に取付けられている。
【００７４】
また、前記各フレーム２ａ，２ｂの内面の鉛直方向における中央には、それぞれ内側に平行に張出したフランジ５が一体に形成されている。
【００７５】
そして、本第５実施形態において、前記オッターボード５１ａのフランジ５には、ワープ１２が連結される曳点となる１つの貫通孔６が穿設されている。
【００７６】
また、前記オッターボード５１ｂのフランジ５には、長手方向に間隔を隔てて２つの貫通孔５２ａ，５２ｂが穿設されており、これらの貫通孔５２ａ，５２ｂにはそれぞれチェーンなどの索具３６が連結されるとともに、これら索具３６の他端部が連結され、ワープ１２が連結される曳点となっている。
【００７７】
また、前記各フレーム２ａ，２ｂの外面の鉛直方向における上縁部近傍および下縁部近傍には、それぞれ外側に張出したフランジ７がそれぞれ一体に形成されており、各フランジ７には、オッターペンネント１３が連結される貫通孔８がそれぞれ穿設されている。
【００７８】
さらに、前記各フレーム２ａ，２ｂの下縁には、それぞれ踏部材９が設けられており、その前端は上方に彎曲されている。
【００７９】
つぎに、前述した構成からなる本第５実施形態のオッターボード５１ａ，５１ｂを用いたトロール漁法について説明する。
【００８０】
本第５実施形態のオッターボード５１ａ，５１ｂは、図１５に示すように、トロール船１１上から繰り出された左右２本のワープ１２の先端で、それぞれ貫通孔６もしくは索具３６において連結されている。
【００８１】
そして、各オッターボード５１ａ，５１ｂの下流には、各オッターボード５１ａ，５１ｂの各フランジ７に穿設された貫通孔８からそれぞれオッターペンネント１３が連結されており、各オッターペンネント１３には、合流用シャックル１４、スイベル１５、シャックル１６およびラインロープ１７が順次連結され、各ラインロープ１７によってトロール網１８が連結されている。
【００８２】
そして、本実施形態では、トロール船１１上において一方のオッターボード５１ｂの各彎曲した板４を取外して各開口部３ａ，３ｂを開放した後、水中にトロール網１８、ラインロープ１７、オッターペンネント１３、オッターボード５１ａ，５１ｂおよびワープ１２を順に投網する。
【００８３】
そして、トロール船１１を進行させると、各オッターボード５１ａ，５１ｂが水流を受けてそれぞれ拡網力が生じる。このとき、本第５実施形態のオッターボード５１ａ，５１ｂは、オッターボード５１ｂの各彎曲した板４が取り外されるとともに、オッターボード５１ｂが索具３６を介してワープ１２に連結されているため、オッターボード５１ｂの拡網力がオッターボード５１ａの拡網力よりも小さくなるため、図１６に示すように、各オッターボード５１ａ，５１ｂがオッターボード５１ａ側へ偏向して拡網され、これに応じてトロール網１８がトロール船１１の航跡より離れる。
【００８４】
このため、表層域において、トロール船１１の通過やそれに伴う判流の影響により採集対象生物が逃避してしまうことを防止することができ、定量的なサンプリングを行うことができる。
【００８５】
つぎに、本発明のオッターボードの第６実施形態について説明する。図１７は本発明のオッターボードの第６実施形態を示す概略図、図１８は図１７のオッターボードを用いたトロール漁の実施形態を示した概略図、図１９は図１７のオッターボードを用いたトロール漁の作用を示した概略図である。なお、本第１実施形態乃至本第５実施形態と同様の構成である箇所については同一の符号をもって説明する。
【００８６】
本第６実施形態のオッターボード６１ａ，６１ｂは複葉型であり、図１７に示すように、それぞれ金属製もしくは強化プラスチック製の凹入した内面を有し、開口部３ａ，３ｂが形成された略「日」字形状のフレーム２が平行に配置されている。
【００８７】
前記各フレーム２の開口部３ａ，３ｂには、金属製もしくは強化プラスチック製の彎曲した板４がそれぞれボルト等の留め具により着脱可能に取付けられている。
【００８８】
対向する前記各フレーム２は、それぞれ上縁部近傍において略四角形状の枠状の連結部材２２、鉛直方向における中央において水平ボード２３、下縁部において踏部材２４によって連結されている。なお、前記各踏部材２４の前端は上方に彎曲されている。
【００８９】
前記オッターボード６１ａの水平ボード２３には、前縁部近傍にワープ１１が連結される曳点となる貫通孔２５ａが穿設されているとともに、後縁部近傍にそれぞれオッターペンネント１３が連結される貫通孔２５ｂ，２５ｃが一定の間隔を隔てて穿設されている。      
【００９０】
また、前記オッターボード６１ｂの水平ボード２３には、前縁部近傍に一定の間隔を隔てて２つの貫通孔６２ａ，６１ｂが穿設されている。これらの貫通孔６２ａ，６２ｂにはそれぞれチェーンなどの索具３６が連結され、これら索具３６の他端部が連結され、ワープ１２が連結される曳点となっている。
【００９１】
さらに、前記オッターボード６１ｂの水平ボード２３には、後縁部近傍にそれぞれオッターペンネント１３が連結される貫通孔６２ｃ，６２ｄが一定の間隔を隔てて穿設されている。
【００９２】
つぎに、前述した構成からなる本第６実施形態のオッターボード６１ａ，６１ｂを用いたトロール漁法について説明する。
【００９３】
本第６実施形態のオッターボード６１ａ，６１ｂは、図１８に示すように、トロール船１１上から繰り出された左右２本のワープ１２の先端で、それぞれ貫通孔２５ａもしくは索具３６において連結されている。
【００９４】
そして、各オッターボード６１ａ，６１ｂには、各水平ボード２３に穿設された貫通孔２５ｂ，２５ｃもしくは貫通孔６２ｃ，６２ｄからそれぞれオッターペンネント１３が連結されており、各オッターペンネント１３には、合流用シャックル１４、スイベル１５、シャックル１６およびラインロープ１７が順次連結され、各ラインロープ１７によってトロール網１８が連結されている。
【００９５】
そして、本実施形態では、トロール船１１上において一方のオッターボード６１ｂの各彎曲した板４を取外して各開口部３ａ，３ｂを開放した後、水中にトロール網１８、ラインロープ１７、オッターペンネント１３、オッターボード６１ａ，６１ｂおよびワープ１２を順に投網する。
【００９６】
そして、トロール船１１を進行させると、各オッターボード６１ａ，６１ｂが水流を受けてそれぞれ拡網力が生じる。このとき、本第６実施形態のオッターボード６１ａ，６１ｂは、オッターボード６１ｂの各彎曲した板４が取外されるとともに、オッターボード６１ｂが索具３６を介してワープ１２に連結されているため、オッターボード６１ｂの拡網力がオッターボード６１ａの拡網力よりも小さくなるため、図１９に示すように、各オッターボード６１ａ，６１ｂがオッターボード６１ａ側へ偏向して拡網され、これに応じてトロール網１８がトロール船１１の航跡より離れる。
【００９７】
このため、表層域において、トロール船１１の通過やそれに伴う判流の影響により採集対象生物が逃避してしまうことを防止することができ、定量的なサンプリングを行うことができる。
【００９８】
なお、本発明は、前述した実施の形態に限定されるものではなく、必要に応じて種々の変更が可能である。例えば、各実施形態において、一方のワープ１２の長さを調節することにより、トロール網１８をトロール船１１の航跡から偏向させることができる。
【図面の簡単な説明】
【００９９】
【図１】本発明のオッターボードの第１実施形態を示す概略図
【図２】本第１実施形態のフレームの他の形態を示す概略図
【図３】図１のオッターボードを用いたトロール漁の実施形態を示した概略図
【図４】図１のオッターボードを用いたトロール漁の作用を示した概略図
【図５】本発明のオッターボードの第２実施形態を示す概略図
【図６】図５のオッターボードを用いたトロール漁の実施形態を示した概略図
【図７】図５のオッターボードを用いたトロール漁の作用を示した概略図
【図８】本発明のオッターボードの第３実施形態を示す概略図
【図９】図８のオッターボードを用いたトロール漁の実施形態を示した概略図
【図１０】図８のオッターボードを用いたトロール漁の作用を示した概略図
【図１１】本発明のオッターボードの第４実施形態を示す概略図
【図１２】図１１のオッターボードを用いたトロール漁の実施形態を示した概略図
【図１３】図１１のオッターボードを用いたトロール漁の作用を示した概略図
【図１４】本発明のオッターボードの第５実施形態を示す概略図
【図１５】図１４のオッターボードを用いたトロール漁の実施形態を示した概略図
【図１６】図１４のオッターボードを用いたトロール漁の作用を示した概略図
【図１７】本発明のオッターボードの第６実施形態を示す概略図
【図１８】図１７のオッターボードを用いたトロール漁の実施形態を示した概略図
【図１９】図１７のオッターボードを用いたトロール漁の作用を示した概略図
【符号の説明】
【０１００】
１ａ，１ｂ  オッターボード
２ａ，２ｂ  フレーム
３ａ，３ｂ  開口部
４  彎曲した板
５  フランジ
６  貫通孔
７  フランジ
８  貫通孔
９  踏部材
１０  回動機構
１１  トロール船
１２  ワープ
１３  オッターペンネント
１８  トロール網
２１ａ，２１ｂ  オッターボード
２２  連結部材
２３  水平ボード
２４  踏部材
２５ａ．２５ｂ．２５ｃ  貫通孔
３１ａ，３１ｂ  オッターボード
３２ａ，３２ｂ  翼板
３３  フランジ
３４  貫通孔
３５ａ，３５ｂ  貫通孔
３６  索具
３７  フランジ
３８  貫通孔
３９  踏部材
４１ａ，４１ｂ  オッターボード
４５ａ，４５ｂ，４５ｃ，４５ｄ  貫通孔
５１ａ，５１ｂ  オッターボード
６１ａ，６１ｂ  オッターボード
６２ａ，６２ｂ，６２ｃ，６２ｄ  貫通孔
【図１】
2007244215.tif 000003
【図２】
2007244215.tif 000004
【図３】
2007244215.tif 000005
【図４】
2007244215.tif 000006
【図５】
2007244215.tif 000007
【図６】
2007244215.tif 000008
【図７】
2007244215.tif 000009
【図８】
2007244215.tif 000010
【図９】
2007244215.tif 000011
【図１０】
2007244215.tif 000012
【図１１】
2007244215.tif 000013
【図１２】
2007244215.tif 000014
【図１３】
2007244215.tif 000015
【図１４】
2007244215.tif 000016
【図１５】
2007244215.tif 000017
【図１６】
2007244215.tif 000018
【図１７】
2007244215.tif 000019
【図１８】
2007244215.tif 000020
【図１９】
2007244215.tif 000021